(57)【特許請求の範囲】
【請求項１】
計時部と、
予め設定される設定スタート時刻および設定タイマー時間を記憶する記憶部と、
前記設定スタート時刻になると、前記設定スタート時刻からの経過時間であるスプリットタイムの計測を開始するように前記計時部を制御する制御部と、
を備え、
前記制御部は、前記設定スタート時刻よりも前記設定タイマー時間前にカウントダウンを開始するマラソンタイマーモードへ移行し、前記カウントダウンの結果がゼロになる前記設定スタート時刻に前記スプリットタイムの計測を行うマラソンストップウオッチモードへ移行することを特徴とする電子時計。
【請求項２】
前記制御部は、
前記スプリットタイムの計測を行うマラソンストップウオッチモードに移行後、前記電子時計が有する他の動作モードへ移行しないことを特徴とする請求項１に記載の電子時計。
【請求項３】
前記制御部は、前記設定スタート時刻になると、前記通過信号を受信可能な状態になることを特徴とする請求項１または請求項２に記載の電子時計。
【請求項４】
競技者が走るコースの開始点と終了点との間に配置された複数のマット各々に対応するアンテナからアンテナ信号を受信するとマットを通過したことを表す通過信号を出力する通過位置検出部を備え、
前記制御部は、前記コースの予め設定された設定スタート時刻になると、前記設定スタート時刻からの経過時間であるグロスタイムを計測する状態、および、前記マットの最初のマットを通過した時刻からの経過時間であるネットタイムを計測する状態の少なくともいずれか一方の状態であるマラソンストップウオッチモードへ移行することを特徴とする請求項１から請求項３のいずれか１項に記載の電子時計。
【発明の詳細な説明】
【技術分野】
【０００１】
本発明は、電子時計に関する。
【背景技術】
【０００２】
マラソン競技などのスポーツ競技において競技者が使用する電子時計として、クロノグラフモード（ストップウオッチモード）を備えた電子時計がある（例えば、特許文献１、特許文献２）。
【先行技術文献】
【特許文献】
【０００３】
【特許文献１】特開平５−１７２９６０号公報
【特許文献２】特許第５２０４８３６号公報
【発明の概要】
【発明が解決しようとする課題】
【０００４】
しかしながら、電子時計には、ストップウオッチモード以外に、時刻モード、タイマーモード等、複数の動作モードを有するものがある。ユーザーは、このような複数の動作モードを有している電子時計を操作する場合、電子時計が有するスイッチを操作することで使用する動作モードを選択する。しかしながら、使用する動作モードへの変更やスイッチ操作を理解していないユーザーも多く、スタート時刻が予め決まっている競技大会等においてストップウオッチモードを正確には使えないというケースもあった。すなわち、電子時計の利便性が悪いという問題があった。
【０００５】
本発明は、上記のような問題点を解決するためになされたものであり、利便性の高い電子時計を提供することにある。
【課題を解決するための手段】
【０００６】
上記の課題を解決するために、本発明の電子時計は、計時部と、予め設定される設定スタート時刻を記憶する記憶部と、前記設定スタート時刻になると、前記設定スタート時刻からの経過時間であるスプリットタイムの計測を開始するように前記計時部を制御する制御部と、を備えることを特徴とする。
【０００７】
また、本発明の電子時計は、前記制御部は、前記設定スタート時刻よりも予め設定された設定タイマー時間前にカウントダウンを開始するマラソンタイマーモードへ移行し、前記カウントダウンの結果がゼロになる前記設定スタート時刻に前記スプリットタイムの計測を行うマラソンストップウオッチモードへ移行することを特徴とする。
【０００８】
また、本発明の電子時計は、前記制御部は、前記スプリットタイムの計測を行うマラソンストップウオッチモードに移行後、前記電子時計が有する他の動作モードへ移行しないことを特徴とする。
また、本発明の電子時計は、前記制御部は、前記設定スタート時刻になると、前記通過信号を受信可能な状態になることを特徴とする。
【０００９】
また、本発明の電子時計は、競技者が走るコースの開始点と終了点との間に配置された複数のマット各々に対応するアンテナからアンテナ信号を受信するとマットを通過したことを表す通過信号を出力する通過位置検出部を備え、前記制御部は、前記コースの予め設定された設定スタート時刻になると、前記設定スタート時刻からの経過時間であるグロスタイムを計測する状態、及び、前記マットの最初のマットを通過した時刻からの経過時間であるネットタイムを計測する状態の少なくともいずれか一方の状態であるマラソンストップウオッチモードへ移行することを特徴とする。
【発明の効果】
【００１０】
本発明によれば、コースの予め設定された設定スタート時刻になると、スイッチ操作の必要のない、マラソンストップウオッチモードに移行する。これにより、ユーザーにとってストップウオッチモードは使いやすくなるので、利便性の高い電子時計を提供することができる。
【図面の簡単な説明】
【００１１】
【図１】本実施形態における電子時計の構成を示すブロック図である。
【図２】本実施形態における電子時計の構成を示すブロック図である。
【図３】本実施形態における電子時計の使用の一例を示す図である。
【図４】本実施形態における電子時計の外形図の一例を示す図である。
【図５】本実施形態における電子時計のスイッチの機能を説明するための図である。
【図６】従来例における時計操作を示すタイミングチャートである。
【図７】従来例における時計操作を示すフローチャートである。
【図８】本実施形態における時計操作を示すフローチャートである。
【図９】本実施形態における時計操作を示すタイミングチャートである。
【図１０】本実施形態における時計操作を示すフローチャートである。
【発明を実施するための形態】
【００１２】
以下、本発明の実施の形態について図面を参照しながら説明する。
【００１３】
［第１の実施形態］
図１は、本実施形態における電子時計の構成を示すブロック図である。
図１に示すように、電子時計１は、計時部２（計時部）、マイクロプロセッサ１３（制御部）、外部操作部材１４、ディスプレイ１５、メモリ１６（記憶部）および電源１７を備える。
計時部２は、マイクロプロセッサ１３の制御により、現在時刻（以下、適宜現在時刻Ｔという）を計時し、計時した現在時刻Ｔをマイクロプロセッサ１３に出力する。なお、この計時部２は、マイクロプロセッサ１３が内蔵するクロックを含む回路であってもよい。
マイクロプロセッサ１３は、この現在時刻Ｔに基づいて、スプリットタイムを計測する。
外部操作部材１４は、ユーザーからの指示の入力操作を受け付けるスイッチを含んで構成される。
ディスプレイ１５は、一例としてＬＣＤによって構成される表示部であり、マイクロプロセッサ１３が計時部２に計測させている現在時刻Ｔやマイクロプロセッサ１３が計測している計測時間を表示する。
メモリ１６は、ＲＯＭやＲＡＭで構成されており、マイクロプロセッサ１３が計測した計測時間や、マイクロプロセッサ１３が計測の際用いる、外部から入力された基準となる時間（設定タイマー時間Ｓ０）および時刻（設定スタート時刻Ｔ０）を記憶している。なお、このメモリ１６は、マイクロプロセッサ１３が内蔵する回路であってもよい。
電源１７は、マイクロプロセッサ１３などに、それらの動作に必要な電力を供給する電力供給回路である。
【００１４】
マイクロプロセッサ１３は、外部操作部材１４から入力される、ユーザーからの指示に応じて、動作モードの切替、各動作モードにおける動作の選択を行う。電子時計１０は、時刻モード、ストップウオッチモード、タイマーモード、マラソンストップウオッチモード、マラソンタイマーモードを有している。このうち、時刻モード、ストップウオッチモード、タイマーモードは、従来から電子時計１が有している通常のＳＷ処理で動作する動作モードであり、マラソンストップウオッチモードおよびマラソンタイマーモードは、電子時計１が新たに有する特定のＳＷ処理で動作する動作モードである。
マラソンストップウオッチモードは、ストップウオッチモードと同じく、スポーツ競技等における記録の時間を計測し、計測結果を、ディスプレイ１５に表示させ、メモリ１６に記憶させるモードである。しかし、マラソンストップウオッチモードは、ストップウオッチモードと異なり、移行する際に、計測開始するか（ＳＴＡＲＴ）の指示を受け付けるスイッチは不要であり、マラソン大会のスタート時刻（コースの予め設定された設定スタート時刻Ｔ０）になると、計測開始する。
すなわち、マラソンストップウオッチモードは、コースの予め設定された設定スタート時刻Ｔ０になると、設定スタート時刻Ｔ０からの経過時間であるスプリットタイムを計測する。
スプリットタイム（ＳＰＬ）とは、設定スタート時刻Ｔ０からの経過時間である。マイクロプロセッサ１３は、計時部２が計時する現在時刻Ｔから設定スタート時刻Ｔ０を減算することによりスプリットタイムの時間計測を行い、計測結果をディスプレイ１５に表示させる。また、マイクロプロセッサ１３の内部カウンタが設定スタート時刻Ｔ０になるとカウントを開始することによりスプリットタイムの時間計測を行うこともある。
【００１５】
マラソンタイマーモードは、タイマーモードと同様、タイマーにタイマー時間を設定し、このタイマーに設定されたタイマー時間をカウントダウンすることにより時間を計測し、カウントゼロで例えばアラーム音を鳴らす動作モードである。しかし、マラソンタイマーモードは、タイマーモードと異なり、移行する際に、カウントダウンを開始（ＳＴＡＲＴ）するか否かの指示を受け付けるスイッチは不要である。また、マラソンタイマーモードは、マラソン大会のスタート時刻（コースの予め設定された設定スタート時刻Ｔ０）より設定タイマー時間前に（予め設定された設定タイマー時間Ｓ０前に）、カウントダウンを自動で開始する。カウントダウンの様子はディスプレイ１５に表示されユーザーが視認できる。すなわち、設定スタート時刻Ｔ０にすぐにマラソンストップウオッチモードを開始させるのではなく、設定スタート時刻Ｔ０より設定タイマー時間Ｓ０前に、時刻モードから、そのあとマラソンストップウオッチモードへと自動で移行するマラソンタイマーモードへ移行させる。これは、ユーザーが設定スタート時刻Ｔ０までの設定タイマー時間Ｓ０の間、競技のための準備を行うための時間を設けることにより、安心してマラソンストップウオッチモードに入るようにしたものである。
【００１６】
次に、本実施形態の電子時計が、動作モードが時刻モードからマラソンタイマーモードに移行し、更にマラソンストップウオッチモードへ移行する場合について説明する。
ユーザーが、時刻モードにおいて、電子時計１に設定タイマー時間Ｓ０（例えば１時間）、マラソン大会のスタート時刻（設定スタート時刻Ｔ０）を、外部操作部材１４から入力することにより、マイクロプロセッサ１３は、設定タイマー時間Ｓ０、設定スタート時刻Ｔ０をメモリ１６に記憶する。
マイクロプロセッサ１３は、計時部２が計測する現在時刻Ｔが設定スタート時刻Ｔ０から設定タイマー時間Ｓ０を減算した時刻になるか否かを判定する。マイクロプロセッサ１３は、時刻Ｔ＝設定スタート時刻Ｔ０−設定タイマー時間Ｓ０の場合、動作モードを時刻モードからマラソンタイマーモードに移行させる。これにより、時刻モードからタイマーモードへの切り換えに必要であった、時刻モードにおけるＳＷ処理（ＳＷを操作すること）が不要になる。
【００１７】
マイクロプロセッサ１３は、マラソンタイマーモードにおいて、自動タイマースタートを行う。これにより、ユーザーが、タイマーモードにおけるタイマースタートにおいて、ＳＷ処理（ＳＷを操作してタイマー時間を入力すること）が不要となり、マイクロプロセッサ１３は、自動タイマースタートを行う。また、マイクロプロセッサ１３は、マラソンタイマーモードにおいて、タイマーに設定タイマー時間Ｓ０を設定し、タイマーを動作させる。
【００１８】
マイクロプロセッサ１３は、ユーザーがスタートするまでの残タイマー時間処理を行う。残タイマー時間とは、タイマーに設定された設定タイマー時間Ｓ０のことであり、マイクロプロセッサ１３は、タイマーを制御してカウントダウンさせることにより残タイマー時間を計測する。マイクロプロセッサ１３は、タイマー表示を行う。マイクロプロセッサ１３は、現在時刻Ｔおよび残タイマー時間をディスプレイ１５に表示させる。例えば、ディスプレイ１５は、現在時刻Ｔ、および残タイマー時間を表示する。
マイクロプロセッサ１３は、残タイマー時間がゼロになるか否かを判定する。マイクロプロセッサ１３は、残タイマー時間＝０の場合、動作モードをマラソンタイマーモードからマラソンストップウオッチモードに移行させる。これにより、タイマーモードからストップウオッチモードへの切り換えに必要であったＳＷ処理（ＳＷを操作すること）が不要になる。
【００１９】
マイクロプロセッサ１３は、マラソンストップウオッチモードにおいて、自動ストップウオッチスタートを行う。これにより、ユーザーがストップウオッチモードにおけるストップウオッチスタートにおいて、ＳＷ処理（ＳＷを操作すること）が不要となり、マイクロプロセッサ１３は、自動ストップウオッチスタートを行う。
マイクロプロセッサ１３は、ストップウオッチの時間演算をする。マイクロプロセッサ１３は、現在時刻Ｔから設定スタート時刻Ｔ０を減算することにより、スタート時刻からの経過時間であるスプリットタイムの時間計測を行っている。マイクロプロセッサ１３は、ストップウオッチの時間表示を行う。マイクロプロセッサ１３は、現在時刻Ｔおよびスプリットタイムをディスプレイ１５に表示させる。例えば、ディスプレイ１５は、現在時刻Ｔ、およびスプリットタイムを表示する。
【００２０】
このように、本実施形態の電子時計１は、計時部２と、予め設定される設定スタート時刻Ｔ０を記憶する記憶部（メモリ１６）と、設定スタート時刻Ｔ０になると、設定スタート時刻Ｔ０からの経過時間であるスプリットタイムの計測を開始するように計時部２を制御するマイクロプロセッサ１３（制御部）と、を備える。
【００２１】
これにより、本実施形態の電子時計は、動作モードが時刻モードからマラソンタイマーモードに移行し、更にマラソンストップウオッチモードへ移行する場合、ＳＷを操作する回数をゼロにすることにより、利便性の高い電子時計を提供することができる。
【００２２】
なお、本実施形態において、マラソンストップウオッチモードに移行した後に、ユーザーが外部操作部材１４を操作することにより、適宜ラップタイムを計測することも可能である。ラップタイムはディスプレイ１５に適宜表示され、メモリに記憶される。
外部操作部材１４の形態や操作手法については限定されず、上述の時刻設定の際には外部操作部材１４を長押しし、ラップタイムを計測する際には短押しするなど操作手法により使用することもできる。後述のように複数個設置され使用状況毎に区別して使用することもできる。
【００２３】
［第２の実施形態］
図２は、本実施形態における電子時計の構成を示すブロック図である。
図２に示すように、電子時計１０は、計時部２、受信アンテナ１１、受信回路１２（通過位置検出部）、マイクロプロセッサ１３、外部操作部材１４、ディスプレイ１５、メモリ１６（記憶部）、受信スイッチ２０、および電源１７を備える。なお、図１に示す電子時計１と同一の部分には同一の符号を付し、その説明を省略する。
図２に示す電子時計１０は、図１に示す電子時計１に対して、ランナーがマットの上を通過する際の時刻に基づいて、スプリットタイムおよびラップタイムを計測することが可能となる。
【００２４】
図３は、本実施形態における電子時計の使用の一例を示す図である。競技者がマット５の上を通過する際、電子時計１０の受信アンテナ１１は、マット５が内蔵する信号発生コイル５ａが放射する所定の周波数の電磁波（アンテナ信号）を受信する。このマット５は、信号発信器６が生成する信号を所定の周波数の電磁波に変換して放射している。また、マット５は、競技者が走るコースの開始点と終了点との間に複数個配置されている。
図２に戻って、受信回路１２は、受信アンテナ１１が複数のマット５各々に対応する信号発生コイル５ａからアンテナ信号を受信すると、マット５を通過したことを表す通過信号をマイクロプロセッサ１３に対して出力する。マイクロプロセッサ１３は、この通過信号に基づいて、スプリットタイム、ラップタイムを計測する（詳細後述）。
メモリ１６は、ＲＯＭやＲＡＭで構成されており、マイクロプロセッサ１３が計測した計測時間（スプリットタイム、ラップタイム）や、マイクロプロセッサ１３が計測の際用いる、外部から入力された基準となる時間（設定タイマー時間Ｓ０）または時刻（設定スタート時刻Ｔ０）を記憶している。
電源１７は、受信回路１２やマイクロプロセッサ１３などに、それらの動作に必要な電力を供給する電力供給回路である。
受信スイッチ２０は、電源１７と受信回路１２との間に配置され、マイクロプロセッサ１３からの制御信号により接続状態と切断状態とを選択可能とするトランジスタ等で構成される。これにより、受信スイッチ２０は、受信回路１２を受信可能な状態とするため電源１７から給電される電力を制御することができる。従って、受信回路１２は、マイクロプロセッサ１３により受信状態と非受信状態（受信停止状態）とを選択できるようになる。なお、マイクロプロセッサ１３が受信回路１２から受ける信号をソフトウェア上で選択的に受信することで、受信回路１２がマイクロプロセッサ１３により受信状態と非受信状態とを選択する構成と同様の効果を得ることができる。本実施形態においては、受信スイッチ２０により受信回路１２をオンまたはオフする場合と、マイクロプロセッサ１３が受信回路１２からの信号を受信または遮断する場合と、いずれの場合を採用しても構わない。
【００２５】
マイクロプロセッサ１３は、外部操作部材１４から入力される、ユーザーからの指示に応じて、動作モードの切替、各動作モードにおける動作の選択を行う。マイクロプロセッサ１３が実行する制御について、図４および図５を参照して説明する。図４は、本実施形態における電子時計の外形図の一例を示す図である。また、図５は、本実施形態における電子時計のスイッチの機能を説明するための図である。
図４に示すように、電子時計１０は、５つのスイッチ（ＳＷＡ、ＳＷＢ、ＳＷＣ、ＳＷＤ、ＳＷＥ）とディスプレイ１５とを含んで構成される。ＳＷＡ、ＳＷＢ、ＳＷＣ、ＳＷＤ、ＳＷＥは、操作入力を受け付ける外部操作部材１４が含むスイッチである。
図５に示すように、電子時計１０は、時刻モード、ストップウオッチモード、タイマーモード、マラソンストップウオッチモード、マラソンタイマーモードを有している。
このうち、時刻モード、ストップウオッチモード、タイマーモードは、従来から電子時計１０が有している通常のＳＷ処理で動作する動作モードであり、マラソンストップウオッチモードおよびマラソンタイマーモードは、電子時計１０が新たに有する特定のＳＷ処理で動作する動作モードである。
【００２６】
時刻モードは、通常の時刻表示を行うモードであり、例えば、図４に示すように、ディスプレイ１５に、現在時刻Ｔを月日と時分とで表示させるモードである。
時刻モードにおいて、ＳＷＡは、目覚し時刻などの設定された時刻にブザー音などを電子時計から発声させるか（ＯＮ）、発生させないか（ＯＦＦ）の指示を受け付けるスイッチである。マイクロプロセッサ１３は、ＳＷＡが受け付けた指示がＯＮの場合、設定された時刻にブザーに音を発生させる。一方、マイクロプロセッサ１３は、ＳＷＡが受け付けた指示がＯＦＦの場合、設定された時刻にブザーに音を発生させない。
時刻モードにおいて、ＳＷＢは、動作モードを切り替える指示を受け付けるスイッチである。マイクロプロセッサ１３は、ＳＷＢが受け付けた指示に応じて、動作モードをストップウオッチモード、タイマーモードのいずれかモードへ移行させる。
時刻モードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
時刻モードにおいて、ＳＷＤは、ディスプレイ１５に表示されている時刻を調節する（ＡＤＪＵＳＴ）指示を受け付けるスイッチである。マイクロプロセッサ１３は、ＳＷＤが受け付けた指示に応じて、ディスプレイ１５に表示されている時計のずれた時刻を調節する。
時刻モードにおいて、ＳＷＥは、ディスプレイ１５に表示されている時刻を切り替える指示を受け付けるスイッチである。マイクロプロセッサ１３は、ＳＷＥが受け付けた指示に応じて、例えば、ディスプレイ１５に表示されている現在時刻Ｔを、２４時間表示である時刻から、午前（ＡＭ）または午後（ＰＭ）を用いた１２時間表示である時刻へ切り替える。
【００２７】
ストップウオッチモードは、スポーツ競技等における記録の時間を計測し、計測結果を、ディスプレイ１５に表示させ、メモリ１６に記憶させるモードである。
ストップウオッチモードは、競技者が開始信号をＳＷＡに入力し、コースのスタート地点からスタートすると、スタート時刻からの経過時間であるスプリットタイムを計測するとともに、スタート時刻からの経過時間であるラップタイムあるいは複数のマットのうちの１つのマットを通過した時刻からの経過時間であるラップタイムを計測する。
ここで、コースに配置されたマット５の個数をＮ個とし、開始点に配置されたマット５をマット５−１、開始点の次に配置されたマット５をマット５−２、…、終了点の１つ前に配置されたマット５をマット５−（Ｎ−１）、終了点に配置されたマット５をマット５−Ｎとする。
スプリットタイム（ＳＰＬ）には、スタート時刻からの経過時間により定義されるグロスタイム（ＳＰＬＧ）と、スタートライン通過時刻からの経過時間により定義されるネットタイム（ＳＰＬＮ）とがある。一般的に、グロスタイムとは、競技大会の主催者側で記録されるのに対して、ネットタイムとは、ユーザー自身の記録を把握するのに利用される傾向にある。大きな大会では、主催者側が設定するスタート時刻になっても、スタートラインに到達できないユーザーも多いという事情によるものである。
グロスタイム（ＳＰＬＧ）とは、スタート時刻からの経過時間であるから、マイクロプロセッサ１３は、現在時刻Ｔからスタート時刻を減算することによりグロスタイムの時間計測を行い、計測結果をディスプレイ１５に表示させる。
一方、ネットタイム（ＳＰＬＮ）とは、スタートライン通過時刻からの経過時間であるから、マイクロプロセッサ１３は、現在時刻Ｔからスタートライン通過時刻を減算することによりネットタイムの時間計測を行い、計測結果をディスプレイ１５に表示させる。
また、受信回路１２からマット５を通過したことを表す通過信号が入力されると、マイクロプロセッサ１３は、マット５各々を通過した時刻であるマット通過時刻ｎ（ｎ＝１〜Ｎ）を、マット５の番号１〜Ｎに対応する形式で、メモリ１６に記憶させていく。
【００２８】
なお、受信回路１２からマット５を通過したことを表す通過信号が入力されると、マイクロプロセッサ１３は、マット５各々を通過した時刻からスタート時刻を減算することによりグロスタイムＳＰＬＧ１〜ＳＰＬＧＮを求め、それぞれのグロスタイムＳＰＬＧｎ（ｎ＝１〜Ｎ）を、マット５の番号１〜Ｎに対応する形式で、メモリ１６に記憶させてもよい。また、受信回路１２からマット５を通過したことを表す通過信号が入力されると、マイクロプロセッサ１３は、マット５各々を通過した時刻からスタートライン通過時刻を減算することによりネットタイムＳＰＬＮ２〜ＳＰＬＮＮを求め、それぞれのネットタイムＳＰＬＮｎ（ｎ＝２〜Ｎ）を、マット５の番号２〜Ｎに対応する形式で、メモリ１６に記憶させてもよい。
【００２９】
また、ラップタイム（ＬＡＰ）とは、スタート地点から終了点の間における区間毎の経過時間であるから、スタート時刻とマット５を通過した時刻とのうち遅い時刻からの経過時間である。そこで、マイクロプロセッサ１３は、現在時刻Ｔからスタート時刻を減算することによりスタート地点からマット５−１の間におけるラップタイムの時間計測を行い、計測結果をディスプレイ１５に表示させる。また、マイクロプロセッサ１３は、現在時刻Ｔからマット５−ｎ（１≦ｎ≦Ｎ−１）を通過した時刻（マット通過時刻ｎ）を減算することによりマット５−ｎからマット５−（ｎ＋１）の間におけるラップタイムの時間計測を行い、計測結果をディスプレイ１５に表示させる。
なお、マイクロプロセッサ１３は、受信回路１２からマット５を通過したことを表す通過信号が入力されると、マット５−１を通過した時刻からスタート時刻を減算することによりラップタイムＬＡＰ１を求める。また、マイクロプロセッサ１３は、受信回路１２からマット５を通過したことを表す通過信号が入力されると、マット５−（ｎ＋１）を通過した時刻からマット５−ｎを通過した時刻（マット通過時刻ｎ）を減算することによりラップタイムＬＡＰ（ｎ＋１）を求める。マイクロプロセッサ１３は、このように求めたラップタイム１、それぞれのラップタイムＬＡＰ（ｎ＋１）を、マット５の番号１〜Ｎに対応する形式で、メモリ１６に記憶させてもよい。
【００３０】
以上の様なストップウオッチモードでは、ＳＷＡ、ＳＷＢ、ＳＷＣ、ＳＷＤ、ＳＷＥは、以下の様な操作入力を受け付ける。
ストップウオッチモードにおいて、ＳＷＡは、計測開始するか（ＳＴＡＲＴ）、計測を停止させるか（ＳＴＯＰ）の指示を受け付けるスイッチである。マイクロプロセッサ１３は、ＳＷＡが受け付けた指示がＳＴＡＲＴの場合、計測を開始する。一方、マイクロプロセッサ１３は、ＳＷＡが受け付けた指示がＳＴＯＰの場合、計測を停止する。
ストップウオッチモードにおいて、ＳＷＢは、動作モードを切り替える指示を受け付けるスイッチである。マイクロプロセッサ１３は、ＳＷＢが受け付けた指示に応じて、動作モードをタイマーモード、時刻モードのいずれかのモードへ移行させる。
ストップウオッチモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
ストップウオッチモードにおいて、ＳＷＤは、表示の切替の指示を受け付けるスイッチである。マイクロプロセッサ１３は、ディスプレイ１５を制御して、現在時刻Ｔとスプリットタイム（ＳＰＬ）とを表示させる、あるいは現在時刻Ｔとラップタイム（ＬＡＰ）とを表示させる。なお、グロスタイム（ＳＰＬＧ）とネットタイム（ＳＰＬＮ）との表示を切り替えて表示させてもよい。
ストップウオッチモードにおいて、ＳＷＥは、ストップウオッチのリセット処理を受け付けるスイッチである。リセット処理とは、ストップウオッチをゼロに戻す（計測している時間を０に戻す）通常のリセット処理のことであり、スイッチを短押しするなどにより行われる。
【００３１】
タイマーモードは、タイマーにタイマー時間を設定し、このタイマーに設定されたタイマー時間をカウントダウンすることにより時間を計測し、カウントゼロで例えばアラーム音を鳴らす動作モードである。
タイマーモードにおいて、ＳＷＡは、タイマー時間を設定し、設定されたタイマー時間のカウントダウンを開始するか（ＳＴＡＲＴ）、カウントダウンを停止させるか（ＳＴＯＰ）の指示を受け付けるスイッチである。マイクロプロセッサ１３は、ＳＷＡが受け付けた指示がＳＴＡＲＴの場合、設定されたタイマー時間のカウントダウンを開始する。一方、マイクロプロセッサ１３は、ＳＷＡが受け付けた指示がＳＴＯＰの場合、カウントダウンを停止する。
タイマーモードにおいて、ＳＷＢは、動作モードを切り替える指示を受け付けるスイッチである。マイクロプロセッサ１３は、ＳＷＢが受け付けた指示に応じて、時刻モード、ストップウオッチモードのいずれかの動作モードを移行させる。
タイマーモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
タイマーモードにおいて、ＳＷＤは、タイマーモードに対する指示を受け付けない。
タイマーモードにおいて、ＳＷＥは、カウントダウンをリセット（ＲＥＳＥＴ）させる指示を受け付けるスイッチである。マイクロプロセッサ１３は、ＳＷＥが受け付けた指示に対して、カウントダウンさせるタイマー時間を再設定し、設定されたタイマー時間のカウントダウンを開始する。
【００３２】
マラソンストップウオッチモードは、ストップウオッチモードと同じく、スポーツ競技等における記録の時間を計測し、計測結果を、ディスプレイ１５に表示させ、メモリ１６に記憶させるモードである。しかし、マラソンストップウオッチモードは、ストップウオッチモードと異なり、移行する際に、計測開始するか（ＳＴＡＲＴ）の指示を受け付けるスイッチは不要であり、マラソン大会のスタート時刻（コースの予め設定された設定スタート時刻Ｔ０）になると、計測開始する。
すなわち、マラソンストップウオッチモードは、コースの予め設定された設定スタート時刻Ｔ０になると、設定スタート時刻Ｔ０からの経過時間であるスプリットタイムを計測するとともに、設定スタート時刻Ｔ０からの経過時間であるラップタイムあるいは複数のマットのうちの１つのマットを通過した時刻からの経過時間であるラップタイムを計測する。
スプリットタイム（ＳＰＬ）には、設定スタート時刻Ｔ０からの経過時間により定義されるグロスタイム（ＳＰＬＧ）と、スタートライン通過時刻からの経過時間により定義されるネットタイム（ＳＰＬＮ）とがある。
グロスタイム（ＳＰＬＧ）とは、設定スタート時刻Ｔ０からの経過時間であるから、マイクロプロセッサ１３は、現在時刻Ｔから設定スタート時刻Ｔ０を減算することによりグロスタイムの時間計測を行い、計測結果をディスプレイ１５に表示させる。
一方、ネットタイム（ＳＰＬＮ）とは、スタートライン通過時刻からの経過時間であるから、マイクロプロセッサ１３は、現在時刻Ｔからスタートライン通過時刻を減算することによりネットタイムの時間計測を行い、計測結果をディスプレイ１５に表示させる。
また、受信回路１２からマット５を通過したことを表す通過信号が入力されると、マイクロプロセッサ１３は、マット５各々を通過した時刻であるマット通過時刻ｎ（ｎ＝１〜Ｎ）を、マット５の番号１〜Ｎに対応する形式で、メモリ１６に記憶させていく。
【００３３】
なお、受信回路１２からマット５を通過したことを表す通過信号が入力されると、マイクロプロセッサ１３は、マット５各々を通過した時刻から設定スタート時刻Ｔ０を減算することによりグロスタイムＳＰＬＧ１〜ＳＰＬＧＮを求め、それぞれのグロスタイムＳＰＬＧｎ（ｎ＝１〜Ｎ）を、マット５の番号１〜Ｎに対応する形式で、メモリ１６に記憶させてもよい。また、受信回路１２からマット５を通過したことを表す通過信号が入力されると、マイクロプロセッサ１３は、マット５各々を通過した時刻からスタートライン通過時刻を減算することによりネットタイムＳＰＬＮ２〜ＳＰＬＮＮを求め、それぞれのネットタイムＳＰＬＮｎ（ｎ＝２〜Ｎ）を、マット５の番号２〜Ｎに対応する形式で、メモリ１６に記憶させてもよい。
【００３４】
また、ラップタイム（ＬＡＰ）とは、スタート地点から終了点の間における区間毎の経過時間であるから、設定スタート時刻Ｔ０とマット５を通過した時刻とのうち遅い時刻からの経過時間である。そこで、マイクロプロセッサ１３は、現在時刻Ｔから設定スタート時刻Ｔ０を減算することによりスタート地点からマット５−１の間におけるラップタイムの時間計測を行い、計測結果をディスプレイ１５に表示させる。また、マイクロプロセッサ１３は、現在時刻Ｔからマット５−ｎ（１≦ｎ≦Ｎ−１）を通過した時刻（マット通過時刻ｎ）を減算することによりマット５−ｎからマット５−（ｎ＋１）の間におけるラップタイムの時間計測を行い、計測結果をディスプレイ１５に表示させる。
なお、マイクロプロセッサ１３は、受信回路１２からマット５を通過したことを表す通過信号が入力されると、マット５−１を通過した時刻から設定スタート時刻Ｔ０を減算することによりラップタイムＬＡＰ１を求める。また、マイクロプロセッサ１３は、受信回路１２からマット５を通過したことを表す通過信号が入力されると、マット５−（ｎ＋１）を通過した時刻からマット５−ｎを通過した時刻（マット通過時刻ｎ）を減算することによりラップタイムＬＡＰ（ｎ＋１）を求める。マイクロプロセッサ１３は、このように求めたラップタイム１、それぞれのラップタイムＬＡＰ（ｎ＋１）を、マット５の番号１〜Ｎに対応する形式で、メモリ１６に記憶させてもよい。
【００３５】
以上の様なマラソンストップウオッチモードでは、ＳＷＡ、ＳＷＢ、ＳＷＣ、ＳＷＤ、ＳＷＥは、以下の様な操作入力を受け付ける。
マラソンストップウオッチモードにおいて、計測を停止させるか（ＳＴＯＰ）の指示を受け付けるスイッチである。マイクロプロセッサ１３は、ＳＷＡが受け付けた指示がＳＴＯＰの場合、計測を停止する。ＳＷＡが、ストップウオッチモードと異なり、計測開始するか（ＳＴＡＲＴ）の指示を受け付けない理由は、マイクロプロセッサ１３が、マラソン大会のスタート時刻（予め設定された設定スタート時刻Ｔ０）になると、自動で計測開始するからである。
マラソンストップウオッチモードにおいて、ＳＷＢは、現在時刻Ｔの表示の指示を受け付けるスイッチである。マイクロプロセッサ１３は、ディスプレイ１５を制御して、現在時刻Ｔを表示させる。ＳＷＢが、ストップウオッチモードと異なり、動作モードを切り替える指示を受け付けないのは、ユーザーにとって競技大会においてマラソンストップウオッチモードに移行後、電子時計１０を使う際に他の動作モードへ移行することによって、スイッチの押し間違いなどの発生を防ぎ、マラソンストップウオッチモードを使いやすくするためである。
マラソンストップウオッチモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
マラソンストップウオッチモードにおいて、ＳＷＤは、表示の切替の指示を受け付けるスイッチである。マイクロプロセッサ１３は、ディスプレイ１５を制御して、現在時刻Ｔとスプリットタイム（ＳＰＬ）とを表示させる、あるいは現在時刻Ｔとラップタイム（ＬＡＰ）とを表示させる。なお、グロスタイム（ＳＰＬＧ）とネットタイム（ＳＰＬＮ）との表示を切り替えて表示させてもよい。
マラソンストップウオッチモードにおいて、ＳＷＥは、ストップウオッチのリセット処理を受け付けるスイッチである。リセット処理とは、ストップウオッチをゼロに戻す（計測している時間を０に戻す）通常のリセット処理のことであり、スイッチを短押しするなどにより行われる。
【００３６】
マラソンタイマーモードは、タイマーモードと同様、タイマーにタイマー時間を設定し、このタイマーに設定されたタイマー時間をカウントダウンすることにより時間を計測し、カウントゼロで例えばアラーム音を鳴らす動作モードである。しかし、マラソンタイマーモードは、タイマーモードと異なり、移行する際に、カウントダウンを開始するか（ＳＴＡＲＴ）の指示を受け付けるスイッチは不要である。また、マラソンタイマーモードは、マラソン大会のスタート時刻（コースの予め設定された設定スタート時刻Ｔ０）より設定タイマー時間前に（予め設定された設定タイマー時間Ｓ０前に）、カウントダウンを自動で開始する。すなわち、設定スタート時刻Ｔ０にすぐにマラソンストップウオッチモードを開始させるのではなく、設定スタート時刻Ｔ０より設定タイマー時間Ｓ０前に、時刻モードから、そのあとマラソンストップウオッチモードへと自動で移行するマラソンタイマーモードへ移行させる。これは、ユーザーが設定スタート時刻Ｔ０までの設定タイマー時間Ｓ０の間、競技のための準備を行うための時間を設けることにより、安心してマラソンストップウオッチモードに入るようにしたものである。
マラソンタイマーモードにおいて、ＳＷＡは、マラソンタイマーモードに対する指示を受け付けない。
マラソンタイマーモードにおいて、ＳＷＢは、現在時刻Ｔの表示の指示を受け付けるスイッチである。マイクロプロセッサ１３は、ディスプレイ１５を制御して、現在時刻Ｔを表示させる。ＳＷＢが、タイマーモードと異なり、動作モードを切り替える指示を受け付けないのは、ユーザーにとって競技大会においてマラソンタイマーモードに移行後、電子時計１０を使う際に他の動作モードへ移行することによって、スイッチの押し間違いなどの発生を防ぎ、マラソンタイマーモードを使いやすくするためである。
マラソンタイマーモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
マラソンタイマーモードにおいて、ＳＷＤは、マラソンタイマーモードに対する指示を受け付けない。
マラソンタイマーモードにおいて、ＳＷＥは、マラソンタイマーモードに対する指示を受け付けない。
【００３７】
次に、電子時計１０による従来例におけるマラソンモードの実施例について、図６および図７を用いて説明する。ここでは、マラソンモードの実施例として、動作モードが時刻モードからＴｉｍｅｒモード（タイマーモード）に移行し、更にＳｔｏｐ−Ｗモード（ストップウオッチモード）へ移行する場合について説明する。図６は、従来例における時計操作を示すタイミングチャートである。また、図７は、従来例における時計操作を示すフローチャートである。
図６には、マラソン大会当日のスケジュールとして、ユーザーが大会の開始場所に１１月８日の９：００に到着し、その後マラソンの準備に入り、１０：００にスタートするスケジュールを示している。また、図６ではそのスケジュールにおける時計操作のＳＷ処理について示している。また、図６では各ＳＷ処理を行った際のディスプレイ１５の表示内容を簡潔に示している。
以下、図７について、図６を適宜参照しながら説明する。
【００３８】
１１月８日の８：５６には、マイクロプロセッサ１３は、現在時刻の処理として時刻Ｔを処理する（ステップＳＴ１）。マイクロプロセッサ１３は、時計時刻表示を行う（ステップＳＴ１ａ）。マイクロプロセッサ１３は、現在時刻Ｔをディスプレイ１５に表示させる。例えば、図６に示すようにディスプレイ１５は、現在時刻Ｔとして１１月８日の８：５６を表示する。
ユーザーが、時刻モードにおいて、ＳＷＢを操作することにより、マイクロプロセッサ１３は、タイマーモードへの切り換えを行う（ステップＳＴ２）。
【００３９】
続いて、ユーザーが、タイマーモードにおいて、ＳＷＡを操作してタイマー時間を入力することにより、マイクロプロセッサ１３は、タイマースタートをする（ステップＳＴ３）。これにより、マイクロプロセッサ１３は、タイマーモードへ移行し、タイマーにタイマー時間を設定し、タイマーを動作させる。
マイクロプロセッサ１３は、ユーザーがスタートするまでの残タイマー時間処理を行う（ステップＳＴ４）。残タイマー時間とは、タイマーに設定されたタイマー時間のことであり、マイクロプロセッサ１３は、タイマーを制御してカウントダウンさせることにより残タイマー時間を計測する。マイクロプロセッサ１３は、タイマー表示を行う（ステップＳＴ４ａ）。マイクロプロセッサ１３は、現在時刻Ｔおよび残タイマー時間をディスプレイ１５に表示させる。例えば、図６に示すようにディスプレイ１５は、現在時刻Ｔとして９：４１を、残タイマー時間として０：１９（１９分）を表示する。
タイマーはタイマーＵＰする（ステップＳＴ５）。すなわち、マイクロプロセッサ１３が制御するタイマーの残りタイマー時間が０分になる。
ユーザーが、タイマーモードにおいて、ＳＷＢを操作することにより、マイクロプロセッサ１３は、ストップウオッチモードへの切り換えを行う（ステップＳＴ６）。
【００４０】
続いて、ユーザーが、ストップウオッチモードにおいて、ＳＷＡを操作することにより、マイクロプロセッサ１３は、ストップウオッチスタートをする（ステップＳＴ７）。
これにより、マイクロプロセッサ１３は、１０：００にストップウオッチモードへ移行する。
マイクロプロセッサ１３は、ストップウオッチの時間演算をする（ステップＳＴ８）。マイクロプロセッサ１３は、現在時刻Ｔからスタート時刻を減算することにより、スタート時刻（１０：００）からの経過時間であるスプリットタイムの時間計測を行っている。また、マイクロプロセッサ１３は、現在時刻Ｔからスタート時刻を減算することにより、スタート地点からマット５−１の間におけるラップタイムの時間計測を行っている。あるいは、現在時刻Ｔからマット５−ｎ（１≦ｎ≦Ｎ−１）を通過した時刻（マット通過時刻ｎ）を減算することにより、マット５−ｎからマット５−（ｎ＋１）の間におけるラップタイムの時間計測を行っている。
マイクロプロセッサ１３は、ストップウオッチの時間表示を行う（ステップＳＴ８ａ）。マイクロプロセッサ１３は、現在時刻Ｔおよびスプリットタイムまたはラップタイムをディスプレイ１５に表示させる。例えば、図６に示すようにディスプレイ１５は、現在時刻Ｔとして１０：５６を、スプリットタイムとして００：５６：２９（５６分２９秒）を表示する。或いは、ユーザーが、ストップウオッチモードにおいて、ＳＷＤを操作した場合は、現在時刻Ｔとラップタイムを表示する。
【００４１】
以上説明したように、電子時計１０による従来例におけるマラソンモードの実施例として、動作モードが時刻モードからタイマーモードに移行し、更にストップウオッチモードへ移行する場合、ＳＷを操作する回数が次の回数になる。すなわち、時刻モードにおいてＳＷＢを操作する回数が１回、タイマーモードにおいてＳＷＡを操作する回数が２回、ストップウオッチモードにおいてＳＷＡを操作する回数が１回と計５回になる。
このように、ＳＷを操作する回数が多いため、従来においては、利便性の高い電子時計を提供できていなかった。
【００４２】
そこで、本実施形態の電子時計は、動作モードが時刻モードからマラソンタイマーモードに移行し、更にマラソンストップウオッチモードへ移行する場合、ＳＷを操作する回数を減らす（好ましくは、ゼロにする）ことにより、利便性の高い電子時計を提供する。以下、電子時計１０による本実施形態におけるマラソンモードの実施例について、図８、図９および図１０を用いて説明する。図８は、本実施形態における時計操作を示すフローチャートである。また、図９は、本実施形態における時計操作を示すタイミングチャートである。また、図１０は、本実施形態における時計操作を示すフローチャートである。
ここでは、マラソンモードの実施例として、図８に示すように動作モードが時刻モードからマラソンタイマーモードに移行し、更にマラソンストップウオッチモードへ移行する場合について説明する。時刻モードにおいては、上述したＳＷの処理（ユーザーによるＳＷ操作）が行われると、マイクロプロセッサ１３は、通常のＳＷ処理（時刻表示モードにおけるＳＷ操作に対応する処理）を行う。また、マラソンタイマーモードにおいては、上述したユーザーによるＳＷ操作が行われると、マイクロプロセッサ１３は、特定のＳＷ処理（マラソンタイマーモードにおけるＳＷ操作に対応する処理）を行う。また、マラソンストップウオッチモードにおいては、ユーザーによるＳＷ操作が行われると、マイクロプロセッサ１３は、マラソンストップウオッチモードにおけるＳＷ操作に対応する特定のＳＷ処理を行う。
図９には、マラソン大会当日のスケジュールとして、ユーザーが大会の開始場所に１１月８日の９：００に到着し、その後マラソンの準備に入り、１０：００にスタートするスケジュールを示している。また、図９ではそのスケジュールにおける時計操作の処理について示している。また、図９では各処理を行った際のディスプレイ１５の表示内容を簡潔に示している。
以下、図１０について、図９を適宜参照しながら説明する。
【００４３】
１１月８日の８：５６には、マイクロプロセッサ１３は、現在時刻の処理として時刻Ｔを処理する（ステップＳＴ２１）。マイクロプロセッサ１３は、時計時刻表示を行う（ステップＳＴ２１ａ）。マイクロプロセッサ１３は、現在時刻Ｔをディスプレイ１５に表示させる。例えば、図９に示すようにディスプレイ１５は、現在時刻Ｔとして１１月８日の８：５６を表示する。
ユーザーが、時刻モードにおいて、電子時計１０に設定タイマー時間Ｓ０（例えば１時間）、マラソン大会のスタート時刻（設定スタート時刻Ｔ０）を、外部操作部材１４から入力することにより、マイクロプロセッサ１３は、設定タイマー時間Ｓ０、設定スタート時刻Ｔ０をメモリ１６に記憶する（ステップＳＴ２２）。なお、ユーザーによる設定タイマー時間Ｓ０、設定スタート時刻Ｔ０の入力（事前入力）の時刻は、設定スタート時刻Ｔ０から設定タイマー時間Ｓ０を減算した時刻より前の時刻に行う必要がある。なお、ユーザーによる設定タイマー時間Ｓ０、設定スタート時刻Ｔ０の入力は、通信手段を用いたものであってもよい。
マイクロプロセッサ１３は、現在時刻の時刻Ｔが設定スタート時刻Ｔ０から設定タイマー時間Ｓ０を減算した時刻になるか否かを判定する（ステップＳＴ２３）。マイクロプロセッサ１３は、時刻Ｔ＝設定スタート時刻Ｔ０−設定タイマー時間Ｓ０の場合（ステップＳＴ２３−Ｙｅｓ）、動作モードを時刻モード（ステップＳＴ１５）からマラソンタイマーモード（ステップＳＴ１６）に移行させる。これにより、時刻モードからタイマーモードへの切り換え（ステップＳＴ２）に必要であった、時刻モードにおけるＳＷＢを操作することが不要になる。
【００４４】
マイクロプロセッサ１３は、マラソンタイマーモードにおいて、自動タイマースタートを行う（ステップＳＴ２４）。
これにより、ユーザーが、タイマーモードにおけるタイマースタート（ステップＳＴ３）において、ＳＷＡを操作してタイマー時間を入力することが不要となり、マイクロプロセッサ１３は、自動タイマースタートを行う。また、マイクロプロセッサ１３は、マラソンタイマーモードにおいて、タイマーに設定タイマー時間Ｓ０を設定し、タイマーを動作させる。
マイクロプロセッサ１３は、ユーザーがスタートするまでの残タイマー時間処理を行う（ステップＳＴ２５）。残タイマー時間とは、タイマーに設定された設定タイマー時間Ｓ０のことであり、マイクロプロセッサ１３は、タイマーを制御してカウントダウンさせることにより残タイマー時間を計測する。マイクロプロセッサ１３は、タイマー表示を行う（ステップＳＴ２５ａ）。マイクロプロセッサ１３は、現在時刻Ｔおよび残タイマー時間をディスプレイ１５に表示させる。例えば、図９に示すようにディスプレイ１５は、現在時刻Ｔとして９：４１を、残タイマー時間として０：１９（１９分）を表示する。
マイクロプロセッサ１３は、残タイマー時間がゼロになるか否かを判定する（ステップＳＴ２６）。マイクロプロセッサ１３は、残タイマー時間＝０の場合（ステップＳＴ２６−Ｙｅｓ）、動作モードをマラソンタイマーモード（ステップＳＴ１６）からマラソンストップウオッチモード（ステップＳＴ１７）に移行させる。これにより、タイマーモードからストップウオッチモードへの切り換え（ステップＳＴ６）に必要であったＳＷＢを操作することが不要になる。
【００４５】
マイクロプロセッサ１３は、マラソンストップウオッチモードにおいて、受信オン処理（ステップＳＴ１００）の後、自動ストップウオッチスタートを行う（ステップＳＴ２７）。
ここで、ステップＳＴ１００における受信オン処理というのは、図１に示す受信スイッチ２０を接続状態として受信回路１２を受信可能状態とする処理、または、マイクロプロセッサ１３を受信回路１２からの信号の入力を待受状態とする処理、のことをいう。受信オン処理（ステップＳＴ１００）以降は、受信アンテナ１１が受信した信号発生コイル５ａからのアンテナ信号を、競技者がマット５を通過したことを表す通過信号（ラップ）として、マイクロプロセッサ１３が受信することができるようになる。この状態を、図８に示すような受信オン処理（Ｍｏｎ）から始まる受信オン状態（Ｍ）と称する。
これにより、ユーザーがストップウオッチモードにおけるストップウオッチスタート（ステップＳＴ７）において、ＳＷＡを操作することが不要となり、マイクロプロセッサ１３は、自動ストップウオッチスタートを行う。
マイクロプロセッサ１３は、ストップウオッチの時間演算をする（ステップＳＴ２８）。
マイクロプロセッサ１３は、現在時刻Ｔから設定スタート時刻Ｔ０を減算することにより、スタート時刻（１０：００）からの経過時間であるスプリットタイムの時間計測を行っている。また、マイクロプロセッサ１３は、現在時刻Ｔから設定スタート時刻Ｔ０を減算することにより、スタート地点からマット５−１の間におけるラップタイムの時間計測を行っている。あるいは、現在時刻Ｔからマット５−ｎ（１≦ｎ≦Ｎ−１）を通過した時刻（マット通過時刻ｎ）を減算することにより、マット５−ｎからマット５−（ｎ＋１）の間におけるラップタイムの時間計測を行っている。
マイクロプロセッサ１３は、ストップウオッチの時間表示を行う（ステップＳＴ２８ａ）。マイクロプロセッサ１３は、現在時刻Ｔおよびスプリットタイムまたはラップタイムをディスプレイ１５に表示させる。例えば、図９に示すようにディスプレイ１５は、現在時刻Ｔとして１０：５６を、スプリットタイムとして００：５６：２９（５６分２９秒）を表示する。或いは、ユーザーが、マラソンストップウオッチモードにおいて、ＳＷＤを操作した場合は、現在時刻Ｔとラップタイムを表示する。
【００４６】
このように、本実施形態の電子時計１０は、競技者が走るコースの開始点と終了点との間に配置された複数のマット５各々に対応するアンテナからアンテナ信号を受信するとマット５を通過したことを表す通過信号を出力する受信回路１２（通過位置検出部）と、コースの予め設定された設定スタート時刻になると、設定スタート時刻からの経過時間であるグロスタイムを計測するとともに、マットの最初のマットを通過した時刻からの経過時間であるネットタイムを計測するマラソンストップウオッチモードへ移行するマイクロプロセッサ１３（制御部）と、を備える。
【００４７】
これにより、本実施形態の電子時計は、動作モードが時刻モードからマラソンタイマーモードに移行し、更にマラソンストップウオッチモードへ移行する場合、ＳＷを操作する回数を減らす（ゼロにする）ことにより、利便性の高い電子時計を提供することができる。
また、受信オン処理（ステップＳＴ１００）により、受信回路を通過信号を要する時のみ受信状態とすることができ、受信回路の不要な動作を抑制することができるので、消費電力を低減することができる。また、受信回路が無用な電波等を受信してしまうことで、不要な通過信号（ラップ）を記録してしまい、ユーザーの意図しないタイム計測がされてしまうといった事態を抑制することができる。
【００４８】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述の実施形態においては、電子時計１０がマラソンタイマーモードからマラソンストップウオッチモードに移行した例を説明したが、マラソンタイマーモードを起動せずにマラソンストップウオッチモードを起動することもできる。
【符号の説明】
【００４９】
１，１０…電子時計、２…計時部、５…マット、５ａ…信号発生コイル、６…信号発信器、１１…受信アンテナ、１２…受信回路（通過位置検出部）、１３…マイクロプロセッサ（制御部）、１４…外部操作部材、１５…ディスプレイ、１６…メモリ、１７…電源、２０…受信スイッチ２０
【図１】
0006577310.tif 000002
【図２】
0006577310.tif 000003
【図３】
0006577310.tif 000004
【図４】
0006577310.tif 000005
【図５】
0006577310.tif 000006
【図６】
0006577310.tif 000007
【図７】
0006577310.tif 000008
【図８】
0006577310.tif 000009
【図９】
0006577310.tif 000010
【図１０】
0006577310.tif 000011